(57)【要約】【課題】出玉率が高く設定されている事実を知りつつ遊技しているであろうと思われる人物を特定する。【解決手段】遊技場の監視装置は、遊技場内に設けられ出玉率を変更可能に構成された複数の遊技機１０と、遊技場内の所定領域を撮像可能な撮像手段３０と、撮像手段を制御する撮像コントローラ３３と、撮像手段により撮像された映像を蓄積可能に構成された映像蓄積手段３５とを備える。出玉率が高く設定された遊技機を特定可能な遊技機特定手段２１と、各遊技機１０における遊技が開始された情報を出力可能な遊技情報出力手段１０ａとを備え、撮像コントローラは出玉率が高く設定されたとして特定された遊技機からの遊技情報に基づいて撮像手段を制御し、その撮像手段は遊技機特定手段により特定されて遊技が開始された遊技機で遊技する遊技者を撮像するように構成される。【選択図】図１
2007209388.tif 000002
【特許請求の範囲】
【請求項１】
遊技場内に設けられ出玉率を変更可能に構成された複数の遊技機(10)と、前記遊技場内の所定領域を撮像可能な撮像手段(30)と、前記撮像手段(30)を制御する撮像コントローラ(33)と、前記撮像手段(30)により撮像された映像を蓄積可能に構成された映像蓄積手段(35)とを備えた遊技場の監視装置において、
出玉率が高く設定された１又は２以上の遊技機(10)を特定可能な遊技機特定手段(21)と、
前記複数の遊技機(10)に設けられ各遊技機(10)における遊技情報を出力可能な遊技情報出力手段(10a)とを備え、
前記撮像コントローラ(33)は前記遊技機特定手段(21)により出玉率が高く設定されたとして特定された前記遊技機(10)からの遊技情報に基づいて前記撮像手段(30)を制御するように構成され、
前記撮像コントローラ(33)により制御された前記撮像手段(30)は前記遊技機特定手段(21)により特定されかつ前記遊技情報により遊技が開始されたと判断される前記遊技機(10)で遊技する遊技者を撮像するように構成された
ことを特徴とする遊技場の監視装置。
【発明の詳細な説明】
【技術分野】
【０００１】
本発明は、複数の遊技機が設けられた遊技場内を撮像手段により撮像して監視する遊技場の監視装置に関するものである。
【背景技術】
【０００２】
従来、パチンコ機やパチスロ機等の遊技機か複数設けられた遊技場では、それらの遊技機により得られた遊技媒体であるパチンコ玉やメダルを集めることにより景品と交換可能なシステムを有している。このため、その景品等を不当に得るために遊技機に対して不正電波の発信や異物混入などの不正行為が一部の心ない遊技者により行われことがあり、不正行為が成された遊技機では異常が発生して遊技媒体であるパチンコ玉やメダルが払い出されてしまうことがあった。そして、これらの不正行為を防止するために、その遊技場内を撮像手段により撮像し、不正行為の有無を監視する遊技場の監視装置（例えば、特許文献１参照。）が提案されている。
【０００３】
この遊技場の監視装置では、一台の監視ビデオカメラで複数の遊技機を視界に納めて各遊技機を監視し、遊技機などに設けられた異常検知手段にて検知された情報をホールコンピュータなどの判断処理部において解析し、解析した情報が判断処理部で異常状態であると判定された場合、判断処理部にて駆動手段を制御して異常のあった遊技機に監視ビデオカメラをセットしている。そして、監視ビデオカメラは、異常のある遊技機をズームレンズによりクローズアップして、遊技機が見易く拡大された映像を表示手段に映し出している。クローズアップした映像は判断処理部の指示を受けて、少なくとも異常状態の映像情報を映像記録手段に記録して、後に表示部により反復して再生することにより、遊技機を特定し異常の状況を把握して不正行為を行なったと思われる人物を特定していた。
【特許文献１】特許第２６８８６８４号（図１）
【発明の開示】
【発明が解決しようとする課題】
【０００４】
しかし、上記従来の遊技場の監視装置では、監視ビデオカメラにおいて異常状態と判断された遊技機に対して、予め設定された監視状態に駆動制御して撮像するだけであった。このため、異常状態と判断された段階で不正行為者と思われる人物が移動していた場合には、その不正行為者と思われる人物を特定することができない不具合があった。
また、遊技機自体は、その遊技媒体であるパチンコ玉やメダルの出玉率を増減可能に構成されており、その出玉率を増減させた事実を知っているものが不正に加われば、遊技者が遊技機に対して不正電波の発信や異物混入などの不正行為を行うことなく、出玉率が高く設定されている遊技機で順次遊技することにより、遊技媒体であるパチンコ玉やメダルを適正に得ることができることになる。しかし、このような行為も、本来秘密にされなければならない事実、即ち出玉率が高く設定されている事実が外部に漏れていることに起因することであり、不正使用の一形態といえ、このような行為も有効に防止する必要がある。
本発明の目的は、出玉率が高く設定されている事実を知りつつ遊技しているであろうと思われる人物を特定し得る遊技場の監視装置を提供することにある。
【課題を解決するための手段】
【０００５】
請求項１に係る発明は、図１に示すように、遊技場内に設けられ出玉率を変更可能に構成された複数の遊技機１０と、遊技場内の所定領域を撮像可能な撮像手段３０と、撮像手段３０を制御する撮像コントローラ３３と、撮像手段３０により撮像された映像を蓄積可能に構成された映像蓄積手段３５とを備えた遊技場の監視装置の改良である。
その特徴ある構成は、出玉率が高く設定された１又は２以上の遊技機１０を特定可能な遊技機特定手段２１と、複数の遊技機１０に設けられ各遊技機１０における遊技情報を出力可能な遊技情報出力手段１０ａとを備え、撮像コントローラ３３は遊技機特定手段２１により出玉率が高く設定されたとして特定された遊技機１０からの遊技情報に基づいて撮像手段３０を制御するように構成され、撮像コントローラ３３により制御された撮像手段３０は遊技機特定手段２１により特定されかつ遊技情報により遊技が開始されたと判断される遊技機１０で遊技する遊技者を撮像するように構成されたところにある。
【０００６】
この請求項１に記載された遊技場の監視装置では、撮像手段３０が遊技機特定手段２１により特定されて遊技が開始された遊技機１０で遊技する遊技者を撮像するので、例えばパチンコ機１０の出玉率を増減させた事実を知っているものが不正に加わり、そのものが直接又はその情報を漏らした第三者が出玉率が高く設定されている遊技機で順次遊技するような事態が生じたとしたならば、映像蓄積手段３５に蓄積された遊技者の中でそのものが占める割合が上昇する。従って、映像蓄積手段３５に蓄積された遊技者の中で所定以上の割合で撮像された遊技者を、出玉率が高く設定されている事実を知りつつ遊技しているであろうと思われる人物として特定することが可能になる。
【発明の効果】
【０００７】
本発明の遊技場の監視装置では、出玉率が高く設定された遊技機を特定可能な遊技機特定手段と、各遊技機における遊技情報を出力可能な遊技情報出力手段とを備え、撮像コントローラは遊技機特定手段により出玉率が高く設定されたとして特定された遊技機からの遊技情報に基づいて撮像手段を制御するように構成され、撮像コントローラにより制御された撮像手段は遊技機特定手段により特定されかつ遊技情報により遊技が開始されたと判断される遊技機で遊技する遊技者を撮像するように構成したので、例えばパチンコ機の出玉率を増減させた事実を知っているものが不正に加わり、そのものが直接又はその情報を漏らした第三者が出玉率が高く設定されている遊技機で順次遊技するような事態が生じたとしたならば、映像蓄積手段に蓄積された遊技者の中でそのものが占める割合が上昇する。従って、映像蓄積手段に蓄積された遊技者の中で所定以上の割合で撮像された遊技者を、出玉率が高く設定されている事実を知りつつ遊技しているであろうと思われる人物として特定することが可能になる。
【発明を実施するための最良の形態】
【０００８】
次に本発明を実施するための最良の形態を図面に基づいて説明する。
図３及び図４に示すように、遊技場には、パチンコ機やパチスロ機等の遊技機が複数設置される。図には、遊技機としてのパチンコ機１０が複数設置された例を示し、このパチンコ機１０は、このパチンコ機１０で使用するパチンコ玉を貸し出す遊技媒体貸出装置１１を介して複数並設される。図４に詳しく示すように、遊技媒体貸出装置１１は、硬貨投入口１１ａから投入された硬貨の枚数に応じてパチンコ玉をその下部に設けられた排出口１１ｂから排出するように構成される。また、パチンコ機１０は、遊技者によって発射されたパチンコ玉が移動してゲームを進行させるための各種部品が取り付けられた遊技盤１２を前面ガラスの内側に備え、その下方正面に、パチンコ玉の受け皿１３や、遊技者がパチンコ玉の打ち出し操作するためのハンドル１４等を備える。
【０００９】
遊技盤１２には、発射されたパチンコ玉を遊技盤１２と前面ガラスの間の遊技領域へ導くための誘導レール１５と、遊技領域を流下するパチンコ玉の流れに変化を与える図示しない多数の釘や風車が配置される。遊技領域の中央には、液晶ディスプレイ等で構成された特賞用ルーレット１６があり、さらにその下方に始動口１７が設けられ、この始動口１７の更に下方には特賞入賞口１８が配置される。また、遊技領域には各種の入賞口１２ａが設けられ、遊技盤１２の最下部には何れの入賞口１２ａや始動口１７及び特賞入賞口１８にも入らず落下したパチンコ玉をパチンコ機１０外に排出するためのアウト口１９が設けられる。始動口１７や特賞入賞口１８又は通常の入賞口１２ａにパチンコ玉が入賞すると所定数のパチンコ玉が賞として受け皿１３に払い出されるように構成される。そして、始動口１７や特賞入賞口１８又は通常の入賞口１２ａに入賞するパチンコ玉の流下経路およびその近傍の釘の向きや間隔を調整することで、パチンコ機１０は出玉率を変更可能に構成される。
【００１０】
このような構成のパチンコ機１０が複数併設されて遊技島９(図３)が構成され、それぞれのパチンコ機１０の上部には、パチンコ機１０毎に表示器２０が設けられる。図４に示すように、各パチンコ機１０に対応して設けられた表示器２０には複数の単位発光体２０ａが設けられ、これらの単位発光体２０ａを点灯又は消灯させて対応するパチンコ機１０に関するデータを表示するように構成される。この実施の形態におけるパチンコ機１０に関するデータとは、表示器２０に対応するパチンコ機１０の稼働状況，特賞回数，特賞確率，出玉数及びスタート回数である。ここでパチンコ機１０の稼働状況とは、対応するパチンコ機１０で顧客が遊技をしているか否かを示し、特賞回数とは遊技玉が始動口１７に入って、パチンコ機１０中央に設けられたルーレット１６における３つのデジタル表示の数字又は絵が回転し、これらの数字又は絵が全て揃った回数である。また特賞確率とは、上記ルーレット１６における数字又は絵が揃った回数を、遊技玉が始動口１７に入った回数で割った数値である。更に出玉数とは顧客が獲得した遊技玉の数であり、スタート回数とは遊技玉が始動口１７に入った回数である。そして表示器２０は横方向に並んで線状に配設された複数の単位発光体２０ａの発光する数により稼働状況等を表示するように構成される。
【００１１】
なお、この表示器２０の左右の端部には複数のスイッチ２０ｂが設けられ、表示器２０の左右の外側にはそられのスイッチ２０ｂに対応する発光体２０ｃが設けられる。これらのスイッチ２０ｂは店員との連絡のためものであり、これらのスイッチ２０ｂを操作すると、そのスイッチ２０ｂに対応して設けられた発光体２０ｃが点灯するように構成され、発光体２０ｃが点灯するとその発光体２０ｃごとに異なる色彩を放つように構成される。そして、その発光体２０ｃが放つ色彩及びその発光体２０ｃの位置により遊技者が要求するサービスを特定できるように構成される。
【００１２】
図３に示すように、各パチンコ機１０には遊技情報出力手段１０ａが内蔵され、この遊技情報出力手段１０ａ及び表示器２０は、それぞれホールコンピュータ２１に接続される。このホールコンピュータ２１は、遊技場に設置されるパーソナルコンピュータやワークステーション等の情報処理装置からなり、表示手段であるディスプレイ２１ａと入力装置であるキーボード２１ｂと出力手段であるプリンタ２１ｃが接続される。そして、各パチンコ機１０に内蔵された遊技情報出力手段１０ａからはそれが内蔵されたパチンコ機１０における遊技情報をホールコンピュータ２１に出力するように構成される。この遊技情報出力手段１０ａが出力する遊技情報とは、そのパチンコ機１０のセーフ玉数，アウト玉数，入賞回数等が挙げられる。情報出力手段１０ａから出力される遊技情報はホールコンピュータ２１に入力されて管理され、そのホールコンピュータ２１は入力された遊技情報に基づいて表示器２１を制御するように構成される。即ち、ホールコンピュータ２１は、パチンコ機１０に対応する表示器２０の横方向に並んで線状に配設された複数の単位発光体２０ａを遊技データに基づいて点灯（点滅）又は消灯させ、横方向に並んで線状に配設された複数の単位発光体２０ａの発光する数により稼働状況等を表示するように構成される。
【００１３】
一方、パチンコ機１０は、前述したようにパチンコ玉の流下経路およびその近傍の釘の向きや間隔を調整することで出玉率を変更可能に構成され、出玉率を変更した作業者はホールコンピュータ２１に接続されたキーボード２１ｂを操作することにより、変更した出玉率をホールコンピュータ２１に入力可能に構成される。従って、このホールコンピュータ２１は、作業者が入力した出玉率に基づいて、出玉率が高く設定された１又は２以上のパチンコ機１０を特定可能に構成される。この出玉率とは、パチンコ機１０の遊技領域に打ち込まれたパチンコ玉の数と、賞として受け皿１３に払い出されたパチンコ玉の数の比として表されるものである。このため、この出玉率が高いと比較的多くの遊技媒体であるパチンコ玉を賞球として得ることができると予測され、この出玉率が低いと賞球としてのパチンコ玉を受け皿１３に払い出させることが困難になると予測される。このため、この出玉率は秘密事項として取り扱われ、表示器２０に表示される情報に含まれることはなく、ホールコンピュータ２１を操作しうる遊技場関係者のみが知りうる事項として取り扱われる。
【００１４】
また、ホールコンピュータ２１は、情報出力手段１０ａから出力される遊技情報に基づいて、その情報出力手段１０ａが設けられたパチンコ機１０における遊技の開始及び終了を判断可能に構成される。この遊技の開始及び終了の判断は、パチンコ機１０の遊技領域にパチンコ玉の打ち込みがあるか否かにより判断される。具体的には、その遊技領域に設けられた各種の入賞口１２ａや始動口１７及び特賞入賞口１８へパチンコ玉が入賞しており、及びこれらのいずれにも入らず落下したパチンコ玉を排出するアウト口１９からのパチンコ玉が排出されており、並びに受け皿１３への賞としてのパチンコ玉の払い出されていれば、ホールコンピュータ２１はそのパチンコ機１０において遊技が開始されていると判断される。一方、遊技領域に設けられた各種の入賞口１２ａや始動口１７及び特賞入賞口１８のいずれにもパチンコ玉が入賞しておらず、及びアウト口１９からパチンコ玉が排出されてもおらず、並びに受け皿１３への賞としてのパチンコ玉の払い出しもない場合には、ホールコンピュータ２１はそのパチンコ機１０において遊技が終了したと判断される。
【００１５】
図１に示すように、この遊技場には、遊技場内の所定領域を撮像可能な撮像手段３０が設けられる。撮像手段３０は、所定数の追尾カメラ３１と、カメラ操作部３２を備える。追尾カメラ３１は、監視対象となるパチンコ機１０を撮像，監視するものであり、カメラのズーム倍率を変更する電動ズームレンズ３１ａが備えられるとともに、電動雲台３１ｂに搭載されて追尾カメラ３１を水平面内で回転する回転角と追尾カメラを鉛直面において傾斜させて水平面と成す角度で表されるチルト角が変更可能になっている。この実施の形態における追尾カメラ３１は、図２に示したように、遊技場の遊技島９と遊技島９の間の通路の天井に設置され、各追尾カメラ３１は、遊技島９を構成するパチンコ機１０を含む所定領域を一度に撮像可能に構成される。
【００１６】
図１に戻って、カメラ操作部３２は、各追尾カメラ３１の駆動制御手段であり、撮像コントローラ３３に接続される。撮像コントローラ３３は、パーソナルコンピュータ等の情報処理装置からなり、表示手段であるディスプレイ３３ａと入力装置であるキーボード３３ｂとを備える。カメラ操作部３２はこの撮像コントローラ３３により制御され、各カメラ３１に備えられた電動ズームレンズ３１ａを駆動してズーム倍率を変更，調整するとともに、各カメラを搭載した電動雲台３１ｂを駆動してカメラ３１の回転角，チルト角を変更，調整可能に構成される。そして、この各追尾カメラ３１は、撮像コントローラ３３からの指令により、カメラ操作部３２を介してパチンコ機１０毎に設定された回転角，チルト角，ズーム倍率で各パチンコ機１０を撮像可能に構成される。
【００１７】
また、この各追尾カメラ３１には複数のテレビモニタ３４が接続され、撮像手段３０により撮像された映像を蓄積可能に構成された映像蓄積手段３５が更に接続される。複数のテレビモニタ３４は、各追尾カメラ３１が撮像した映像を対応するテレビモニタ３４に映し出すようになっている。即ちこのテレビモニタ３４は、追尾カメラ３１が撮像したパチンコ機１０及びその周辺の映像を映し出すモニタであり、各追尾カメラ３１に一対一に対応して備えられている。そして、各追尾カメラ３１で撮影される複数のパチンコ機１０の映像は、順次あるいは任意に切り替えられてテレビモニタ３４に表示され、常時監視されるようになっている。また、テレビモニタ３４に接続された映像蓄積手段３５は、例えば、ハードディスク，ビデオデッキ等のデータ記録手段からなり、追尾カメラ操作部３２の制御により、テレビモニタ３４に映し出された映像を記録するようになっている。
【００１８】
撮像コントローラ３３はホールコンピュータ２１と接続され、遊技機特定手段として機能するホールコンピュータ２１から遊技機であるパチンコ機１０に関する情報を取得可能に構成される。このホールコンピュータ２１から取得し得る情報には出玉率が高く設定された１又は２以上の遊技機に関する情報が含まれ、撮像コントローラ３３は出玉率が高く設定されたとして特定された遊技機であるパチンコ機１０からの遊技情報に基づいて撮像手段３０を制御するように構成される。撮像コントローラ３３には磁気ディスク，光ディスク，半導体メモリ，その他任意のコンピュータで読取り可能な記録媒体が設けられ、この記憶媒体には、カメラ選択プログラムと、選択されたカメラ３１の回転角及びチルト角を設定する角度設定プログラムと、そのカメラ３１のズームレンズ３１ａを設定する焦点設定プログラムと、その追尾カメラ３１のズーム倍率を設定するズーム倍率設定プログラムが記憶される。
【００１９】
カメラ選択プログラムは、遊技機特定手段として機能するホールコンピュータ２１により出玉率が高く設定されたとして特定されたパチンコ機１０の近傍に位置する追尾カメラ３１を選択するプログラムであり、角度設定プログラムは、選択された追尾カメラ３１をそのカメラ３１の撮像画面上に対象となるパチンコ機１０を中心とする周囲を表示するようにそのカメラ３１の回転角及びチルト角を設定するプログラムである。また、焦点設定プログラムは、そのパチンコ機１０で遊技する遊技者に焦点を合わせるようにそのカメラ３１のズームレンズ３１ａの焦点を設定するプログラムであり、ズーム倍率設定プログラムは、その遊技者に焦点を合わせた追尾カメラ３１からその遊技者までの距離情報を入力してその追尾カメラ３１のズーム倍率を計算して設定するプログラムである。これらのプログラムは、記録媒体から必要に応じて読み出されて撮像コンピュータ３３にインストールされ、実行されるように構成される。そして撮像コントローラ３３において実行されるこれらのプログラムにより撮像手段３０は制御され、その撮像手段３０は遊技機特定手段２１により特定されて遊技が開始されたパチンコ機１０で遊技する遊技者を撮像するように構成される。
【００２０】
このように構成された遊技場の監視装置における動作を説明する。
遊技機特定手段として機能するホールコンピュータ２１からの情報により撮像コントローラ３３は出玉率が高く設定されたパチンコ機１０を特定する。そして、その特定されたパチンコ機１０に設けられた遊技情報出力手段１０ａが出力する遊技情報からその遊技機であるパチンコ機１０における遊技が開始されたとホールコンピュータ２１が判断すると、そのホールコンピュータ２１からの情報に基づいて撮像コントローラ３３は撮像手段３０を制御する。具体的に説明すると、その撮像コントローラ３３は記録媒体からカメラ選択プログラムを読み出してインストールし、そのプログラムに従って、遊技機特定手段として機能するホールコンピュータ２１により出玉率が高く設定されたとして特定されたパチンコ機１０の近傍に位置する追尾カメラ３１を選択する。
【００２１】
次に撮像コントローラ３３は記録媒体から角度設定プログラムを読み出してインストールし、そのプログラムに従って、選択された追尾カメラ３１をそのカメラ３１の撮像画面上に対象となるパチンコ機１０を中心とする周囲を表示するようにそのカメラ３１の回転角及びチルト角を設定し、カメラ操作部３２にコマンドが送られ、特定された追尾カメラ３１の電動雲台３１ｂが駆動制御される。このようにして、出玉率が高く設定されたとして特定されたパチンコ機１０近傍に位置する追尾カメラ３１が回転するとともにそのチルト角が変更され、追尾カメラ３１のズームレンズ３１ａはその特定されたパチンコ機１０に向けられる。次に撮像コントローラ３３は記録媒体から焦点設定プログラムを読み出してインストールし、そのプログラムに従ってそのカメラ３１のズームレンズ３１ａの焦点を設定し、そのパチンコ機１０で遊技する遊技者にそのズームレンズ３１ａの焦点を合わせる。
【００２２】
更に撮像コントローラ３３は記録媒体からズーム倍率設定プログラムを読み出してインストールし、そのプログラムに従ってその遊技者に焦点を合わせた追尾カメラ３１からその遊技者までの距離情報を入力してその追尾カメラ３１のズーム倍率を計算して設定する。これにより追尾カメラ３１のズームレンズ３１ａの倍率が上昇し、そのパチンコ機１０で遊技を開始した遊技者を特定できるようにその容姿は拡大された状態で撮像される。このように撮像された映像はモニタ３２ａに表示されるとともに、映像蓄積手段３５に記憶されて蓄積される。従って、この映像蓄積手段３５には出玉率が高く設定されたパチンコ機１０で遊技した全ての遊技者が、その容姿を特定できるような状態で撮影されて蓄積される。
【００２３】
ここで、パチンコ機１０の出玉率を増減させた事実を知っているものが不正に加わり、そのものが直接又はその情報を得た第三者が出玉率が高く設定されている遊技機で順次遊技するような事態が生じたとしたならば、映像蓄積手段３５に蓄積された遊技者の中でそのものが占める割合が上昇する。従って、映像蓄積手段３５に蓄積された遊技者の中で所定以上の割合で撮像された遊技者は、本来秘密にされなければならない事実、即ち出玉率が高く設定されている事実を知った上で遊技している可能性が高いといえる。従って、本発明における遊技場の監視装置では、出玉率が高く設定されている事実を知りつつ遊技しているであろうと思われる人物を特定することが可能になる。
また、本発明における遊技場の監視装置では、遊技機特定手段として機能するホールコンピュータ２１により特定された遊技機１０で遊技する遊技者を、遊技の開始とともにその容姿を認識し得るように撮像するので、その遊技者がその後移動したとしても、その遊技者を確実に特定することができる。
【００２４】
なお、上述した実施の形態では、遊技機としてパチンコ機１０を用いて説明したが、遊技機はメダルを遊技媒体とするパチスロ機であっても良い。この場合における出玉率とは、パチスロ機に投入されたメダルの数と、賞として払い出されたメダルの数の比として表されることになる。
また、上述した実施の形態では、ホールコンピュータ２１が遊技機特定手段として機能し、そのホールコンピュータ２１が、情報出力手段１０ａから出力される遊技情報に基づいて、その情報出力手段１０ａが設けられたパチンコ機１０における遊技の開始及び終了を判断可能に構成される場合を説明したが、ホールコンピュータ２１から得られる情報により、撮像コントローラ３３が出玉率が高く設定された１又は２以上の遊技機を特定する遊技機特定手段として機能するようにしてもよく、その撮像コントローラ３３が、情報出力手段１０ａから出力される遊技情報に基づいて、その情報出力手段１０ａが設けられたパチンコ機１０における遊技の開始及び終了を判断するように構成してもよい。
更に、上述した実施の形態では、天井に設けられた追尾カメラ３１により遊技者を撮像する場合を説明したが、遊技機１０若しくは表示器２０又はそれらの近傍にカメラを設け、遊技者を直接的に撮像するように構成しても良い。この場合には、遊技者の顔をその前方から撮像することが可能になり、遊技者の特定を容易にすることが期待できる。
【図面の簡単な説明】
【００２５】
【図１】本発明実施形態の監視装置の全体構成を模式的に示す説明図である。
【図２】その監視装置におけるパチンコ機と追尾カメラの関係を模式的に示す平面図である。
【図３】そのパチンコ機が島を構成する状態を示す図である。
【図４】そのパチンコ機の詳細を示す図である。
【符号の説明】
【００２６】
１０  パチンコ機（遊技機）
１０ａ  遊技情報出力手段
２１  ホールコンピュータ（遊技機特定手段）
３０  撮像手段
３３  撮像コントローラ
３５  映像蓄積手段
【図１】
2007209388.tif 000003
【図２】
2007209388.tif 000004
【図３】
2007209388.tif 000005
【図４】
2007209388.tif 000006